【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
モバイルデバイスを使用したワイヤレス通信の方法であって、
第1の基地局から第2の基地局へのハンドオーバが行われたことを判定するステップと、
前記ハンドオーバ後に前記モバイルデバイスで、前記第2の基地局からマスタ情報ブロック(MIB)が受信されないと判定することに少なくとも部分的に基づいて、所定の時間期間にわたって前記第2の基地局へのスケジューリング要求の送信を遅延させるステップと
を含む、ワイヤレス通信の方法。
【請求項２】
前記スケジューリング要求の前記送信を前記遅延させるステップは、
条件が満たされるまで前記スケジューリング要求の前記送信を遅延させるステップを含む、請求項1に記載の方法。
【請求項３】
前記条件が満たされることは、
前記第2の基地局から前記MIBを受信することを含む、請求項2に記載の方法。
【請求項４】
前記ハンドオーバが行われる前にシステム情報ブロック(SIB)が受信されていることを判定するステップをさらに含む、請求項1に記載の方法。
【請求項５】
前記所定の時間期間は、前記第2の基地局から受信された前記MIBを通じたアップリンクタイミングの予測される取得または予測される導出に少なくとも部分的に基づいている、請求項1に記載の方法。
【請求項６】
前記ハンドオーバ後に前記第2の基地局へデータが送信されるべきであることを判定するステップと、
前記ハンドオーバ後に前記第2の基地局から前記MIBが受信されていないとの判定に基づいて、前記MIBが受信されないことを判定するステップと、
前記所定の時間期間にわたって前記スケジューリング要求の前記送信を遅延させるステップと
をさらに含む、請求項1に記載の方法。
【請求項７】
前記ハンドオーバ後に前記MIBが受信されていると判定することに少なくとも部分的に基づいて、前記第2の基地局への前記スケジューリング要求を送信するステップをさらに含む、請求項6に記載の方法。
【請求項８】
前記所定の時間期間の満了後に、前記MIBが受信されているか否かを判定するステップと、
前記第2の基地局から前記MIBが引き続き受信されないという判定に応答して、第2の所定の時間期間にわたって前記スケジューリング要求の前記送信をさらに遅延させるステップと
をさらに含む、請求項1に記載の方法。
【請求項９】
前記MIBが受信されているという判定に応答して、前記スケジューリング要求を送信するステップをさらに含む、請求項1に記載の方法。
【請求項１０】
第2の所定の時間期間内に前記MIBが受信されない場合に無線リンク障害(RLF)手順を開始するステップをさらに含む、請求項1に記載の方法。
【請求項１１】
前記所定の時間期間は、所定数のロングタームエボリューション(LTE)フレームに少なくとも部分的に基づいている、請求項1に記載の方法。
【請求項１２】
ワイヤレス通信の装置であって、
第1の基地局から第2の基地局へのハンドオーバが行われたことを判定するための手段と、
前記ハンドオーバ後に前記第2の基地局からマスタ情報ブロック(MIB)が前記装置で受信されないと判定することに少なくとも部分的に基づいて、所定の時間期間にわたって前記第2の基地局へのスケジューリング要求の送信を遅延させるための手段と
を備える、ワイヤレス通信の装置。
【請求項１３】
前記スケジューリング要求の前記送信を遅延させるための前記手段は、前記第2の基地局から前記MIBが受信されるまで前記スケジューリング要求を遅延させる、請求項12に記載の装置。
【請求項１４】
前記ハンドオーバが行われる前にシステム情報ブロック(SIB)が受信されていることを判定するための手段をさらに備える、請求項12に記載の装置。
【請求項１５】
前記所定の時間期間は、前記第2の基地局から受信された前記MIBを通じたアップリンクタイミングの予測される取得または予測される導出に少なくとも部分的に基づいている、請求項12に記載の装置。
【請求項１６】
前記ハンドオーバ後に前記第2の基地局へデータが送信されるべきであることを判定するための手段と、
前記ハンドオーバ後に前記第2の基地局から前記MIBが受信されていないとの判定に基づいて、前記MIBが受信されないことを判定するための手段と、
前記所定の時間期間にわたって前記スケジューリング要求の前記送信を遅延させるための手段と
をさらに備える、請求項12に記載の装置。
【請求項１７】
前記ハンドオーバ後に前記MIBが受信されていると判定することに少なくとも部分的に基づいて、前記第2の基地局への前記スケジューリング要求を送信するための手段をさらに備える、請求項16に記載の装置。
【請求項１８】
前記所定の時間期間の満了後に、前記MIBが受信されているか否かを判定するための手段と、
前記第2の基地局から前記MIBが引き続き受信されないという判定に応答して、第2の所定の時間期間にわたって前記スケジューリング要求の前記送信をさらに遅延させるための手段と
をさらに備える、請求項12に記載の装置。
【請求項１９】
前記MIBが受信されているという判定に応答して、前記スケジューリング要求を送信するための手段をさらに備える、請求項12に記載の装置。
【請求項２０】
第2の所定の時間期間内に前記MIBが受信されない場合に無線リンク障害(RLF)手順を開始するための手段をさらに備える、請求項12に記載の装置。
【請求項２１】
ワイヤレス通信の装置であって、
プロセッサと、
前記プロセッサと電子通信しているメモリと、
前記メモリに記憶されている命令と
を備え、前記命令は、前記プロセッサによって、
第1の基地局から第2の基地局へのハンドオーバが行われたことを判定することと、
前記ハンドオーバ後に前記プロセッサで、前記第2の基地局からマスタ情報ブロック(MIB)が受信されないと判定することに少なくとも部分的に基づいて、所定の時間期間にわたって前記第2の基地局へのスケジューリング要求の送信を遅延させることと
を行うように実行可能である、ワイヤレス通信の装置。
【請求項２２】
前記スケジューリング要求の前記送信を前記遅延させることは、
前記MIBが前記第2の基地局から受信されるまで前記スケジューリング要求を遅延させることを含む、請求項21に記載の装置。
【請求項２３】
前記命令は、前記プロセッサによって、
前記ハンドオーバ後に前記第2の基地局へデータが送信されるべきであることを判定することと、
前記ハンドオーバ後に前記第2の基地局から前記MIBが受信されていないとの判定に基づいて、前記MIBが受信されないことを判定することと、
前記所定の時間期間にわたって前記スケジューリング要求の前記送信を遅延させることと
を行うようにさらに実行可能である、請求項21に記載の装置。
【請求項２４】
前記命令は、前記プロセッサによって、
前記所定の時間期間の満了後に、前記MIBが受信されているか否かを判定することと、
前記第2の基地局から前記MIBが引き続き受信されないという判定に応答して、第2の所定の時間期間にわたって前記スケジューリング要求の前記送信をさらに遅延させることと
を行うようにさらに実行可能である、請求項21に記載の装置。
【請求項２５】
前記命令は、前記プロセッサによって、
前記MIBが受信されているという判定に応答して、前記スケジューリング要求を送信することを行うようにさらに実行可能である、請求項21に記載の装置。
【請求項２６】
前記命令は、前記プロセッサによって、
第2の所定の時間期間内に前記MIBが受信されない場合に無線リンク障害(RLF)手順を開始することを行うようにさらに実行可能である、請求項21に記載の装置。